(57)【要約】【課題】より簡単かつ正確に、所望の治療部位にパッドを貼り付けることを可能とする低周波治療器、及び、パッドの保管をより適切に行うことを可能とする低周波治療器台を提供する。【解決手段】低周波パルスを生成する生成部を備えた低周波治療器本体１００と、治療部位に貼り付けられる粘着面２０１を有し、かつ生成部により生成された低周波パルスを治療部位に与えるパッド２００と、低周波治療器本体１００とパッド２００とを電気的に接続するコード３００と、を備えた低周波治療器１０において、低周波治療器本体１００は、粘着面２０１の少なくとも一部を露出させた状態で、パッド２００を保持するための切欠１１２と、パッド２００を保持させた状態で、パッド２００を治療部位に対して貼り付けるようにパッド２００の粘着面２０１とは反対側の面を押し付けることを可能とする押し付け部１１３と、を備えていることを特徴とする。【選択図】図４
2008029570.tif 000002
【特許請求の範囲】
【請求項１】
低周波電流を生成する生成部を備えた低周波治療器本体と、
治療部位に貼り付けられる粘着面を有し、かつ前記生成部により生成された低周波電流を治療部位に与えるパッドと、
前記低周波治療器本体と前記パッドとを電気的に接続するコードと、
を備えた低周波治療器において、
前記低周波治療器本体は、
前記粘着面の少なくとも一部を露出させた状態で、前記パッドを保持する保持部と、
該保持部にパッドを保持させた状態で、該パッドを治療部位に対して貼り付けるように該パッドの粘着面とは反対側の面を押し付けることを可能とする押し付け部と、
を備えていることを特徴とする低周波治療器。
【請求項２】
前記保持部は、前記パッドを治療部位に貼り付けた状態かつ該パッドと前記コードが接続された状態で、該パッドの保持を解除できるように構成されていることを特徴とする請求項１に記載の低周波治療器。
【請求項３】
前記低周波治療器本体の長手方向の両端部に、それぞれ前記保持部及び押し付け部が備えられていることを特徴とする請求項１または２に記載の低周波治療器。
【請求項４】
前記保持部は、前記パッドとコードとの接続部分と嵌合する切欠により構成されることを特徴とする請求項１，２または３に記載の低周波治療器。
【請求項５】
前記低周波治療器本体は、
前記コードが巻き付けられる巻き付け部を備えていることを特徴とする請求項１〜４のいずれか一つに記載の低周波治療器。
【請求項６】
前記巻き付け部は、
前記低周波治療器本体の外部からの操作によって、該低周波治療器本体の内部にコードを巻き取ることを可能とする巻き取り機構により構成されていることを特徴とする請求項５に記載の低周波治療器。
【請求項７】
前記巻き付け部は、
前記低周波治療器本体の外壁面に設けられた突起部により構成されていることを特徴とする請求項５に記載の低周波治療器。
【請求項８】
請求項１〜７のいずれか一つに記載された低周波治療器が載置される低周波治療器台であって、
パッドを前記保持部に保持させたままの状態で、前記低周波治療器本体が載置されると、前記パッドの粘着面に貼り付いて、該粘着面を保護する保護部を備えることを特徴とする低周波治療器台。
【発明の詳細な説明】
【技術分野】
【０００１】
本発明は、低周波治療器及び低周波治療器台に関するものである。
【背景技術】
【０００２】
従来、内部に電極を有するパッドを治療部位に貼り付けて低周波治療を行う低周波治療器が知られている。このような低周波治療器におけるパッドは、一般的に消耗部品であり、簡単に交換できるように、低周波治療器本体に接続されたコードに対して着脱自在に構成される。そして、パッドにおけるコードと接続される側とは反対側の面は、治療部位に貼り付けることができるように、粘着性を有している。また、一般的に、使用前の新品のパッドは、粘着面に保護シートが貼り付けられている。この保護シートは、最初にパッドを使用する際に剥がして捨ててしまい、保護シートが剥がされたパッドは、専用のパッドホルダーに保管しておくのが一般的である。
【０００３】
上記のように構成される低周波治療器により低周波治療を行う場合、従来、パッドとコードとの接続部付近を手指で持ちながら、パッドの粘着面を所望の治療部位に貼り付けている。しかしながら、治療を受ける治療者自身がパッドを治療部位に貼り付ける場合、背中など手が届き難い位置を治療したい場合に、パッドを所望の位置にうまく貼り付けることができないことがある。また、パッドは、身体の様々な箇所に貼り付けることができるように、種々の形状に対応するべく、薄くかつ非常に柔軟性が高くなっているのが一般的である。そのため、手指でパッドを持っている状態では、パッドの形状は非常に不安定であり、特にお年寄りなど手先があまり器用でない人の場合には、所望の箇所に適切に貼り付けるのは難しい場合がある。また、服を着たまま襟の辺りからパッドを差し込んで、肩や背中にパッドを貼り付けるような場合には、パッドの形状が不安定であることから、パッドを肩や背中にもっていく際にパッドの粘着面が服に貼り付いてしまうことがある。そのため、パッドの粘着面が繊維によって汚れてしまうばかりでなく、服を汚してしまうこともある。更に、パッドが折れ曲がって粘着面同士が貼り付いてしまうこともある。
【０００４】
このように、治療を受ける治療者自身がパッドを治療部位に貼り付ける場合に、パッドを所望の位置に貼り付けるのが難しく、貼り付け作業が非常に煩わしいという問題がある。
【０００５】
また、専用のパッドホルダーにパッドを保管する場合には、パッドホルダーの所定の位置にパッドを貼り付けなければならないのが一般的である。しかし、手先が不器用な場合や急いでいる時には、パッドを所定の位置にうまく貼り付けられないおそれもある。更に、パッドホルダーにパッドを貼り忘れてしまい、パッドの粘着力が早期に低下してしまうおそれもある。
【０００６】
なお、関連する技術としては、特許文献１〜４に開示されたものがある。
【特許文献１】実用新案登録番号第２５４１０２９号公報
【特許文献２】特開平１０−１９２４１６号公報
【特許文献３】特開２０００−３０８６２１号公報
【特許文献４】特開２００４−３３７８９号公報
【発明の開示】
【発明が解決しようとする課題】
【０００７】
本発明の目的は、より簡単かつ正確に、所望の治療部位にパッドを貼り付けることを可能とする低周波治療器、及び、パッドの保管をより適切に行うことを可能とする低周波治
療器台を提供することにある。
【課題を解決するための手段】
【０００８】
本発明は、上記課題を解決するために以下の手段を採用した。
【０００９】
すなわち、本発明の低周波治療器は、
低周波電流を生成する生成部を備えた低周波治療器本体と、
治療部位に貼り付けられる粘着面を有し、かつ前記生成部により生成された低周波電流を治療部位に与えるパッドと、
前記低周波治療器本体と前記パッドとを電気的に接続するコードと、
を備えた低周波治療器において、
前記低周波治療器本体は、
前記粘着面の少なくとも一部を露出させた状態で、前記パッドを保持する保持部と、
該保持部にパッドを保持させた状態で、該パッドを治療部位に対して貼り付けるように該パッドの粘着面とは反対側の面を押し付けることを可能とする押し付け部と、
を備えていることを特徴とする。
【００１０】
本発明によれば、保持部にパッドを保持させた状態で、押し付け部によってパッドの粘着面とは反対側の面を押し付けることで、パッドを所望の治療部位に貼り付けることができる。従って、手の届かない又は届きにくい位置であっても、低周波治療器本体の長さ分だけ離れた位置にパッドを貼り付けることができるため、手の届かない又は届きにくい位置にもパッドを適切に貼り付けることができる。また、パッドの柔軟性が高く、パッドの形状が不安定な場合であっても、本発明の低周波治療器を用いれば、押し付け部によりパッドを押え付けながら、パッドを治療部位に貼り付けることができるので、パッドを所望の位置により適切に貼り付けることができる。これに伴い、パッドの粘着面が服に貼り付いてしまったり、パッドが折れ曲がって粘着面同士が貼り付いてしまったりすることを抑制できる。
【００１１】
また、前記保持部は、前記パッドを治療部位に貼り付けた状態かつ該パッドと前記コードが接続された状態で、該パッドの保持を解除できるように構成されているとよい。
【００１２】
これにより、コードに接続された状態にあるパッドを治療部位に貼り付けたまま、低周波治療器本体をパッドから外すことができる。
【００１３】
また、前記低周波治療器本体の長手方向の両端部に、それぞれ前記保持部及び押し付け部が備えられているとよい。
【００１４】
これにより、一対のパッドを備えた低周波治療器において、各パッドを、低周波治療器本体の長手方向の両端部にそれぞれ保持させることができる。
【００１５】
また、前記保持部は、前記パッドとコードとの接続部分と嵌合する切欠により構成されるとよい。
【００１６】
これにより、簡易な構成でパッドを保持させることができると共に、パッドとコードとの接続部分を切欠に沿って移動させることで、パッドの保持を簡単に解除することができる。従って、パッドを治療部位に貼り付けた後に、低周波治療器本体を移動させることで、パッドを治療部位に貼り付けたまま、簡単に、低周波治療器本体をパッドから外すことができる。
【００１７】
また、前記低周波治療器本体は、
前記コードが巻き付けられる巻き付け部を備えているとよい。
【００１８】
これにより、例えば、パッドを治療部位に貼り付ける際や低周波治療器を保管する際において、コードが邪魔になることを抑制できる。
【００１９】
ここで、前記巻き付け部は、
前記低周波治療器本体の外部からの操作によって、該低周波治療器本体の内部にコードを巻き取ることを可能とする巻き取り機構により構成されているとよい。
【００２０】
このようにすれば、コードを低周波治療器本体の内部に収めることができるので、パッドを治療部位に貼り付ける際や低周波治療器を保管する際に、コードが邪魔になることをより確実に防止できる。
【００２１】
また、前記巻き付け部は、
前記低周波治療器本体の外壁面に設けられた突起部により構成されていることも好適である。
【００２２】
このようにすれば、巻き付け部の構成を簡易にすることができる。
【００２３】
また、本発明の低周波治療器台は、
上記の低周波治療器が載置される低周波治療器台であって、
パッドを前記保持部に保持させたままの状態で、前記低周波治療器本体が載置されると、前記パッドの粘着面に貼り付いて、該粘着面を保護する保護部を備えることを特徴とする。
【００２４】
本発明によれば、保持部にパッドを保持させた状態で、低周波治療器台に低周波治療器本体を載置させるたけで、パッドの粘着面を保護することができる。また、低周波治療器台に低周波治療器を載置すればよいので、専用のパッドホルダーにパッドを貼り付けて保管する場合に比べて、治療後におけるパッドの貼り忘れを抑制することもできる。
【００２５】
なお、上記各構成は、可能な限り組み合わせて採用し得る。
【発明の効果】
【００２６】
以上説明したように、本発明の低周波治療器によれば、より簡単かつ正確に、所望の治療部位にパッドを貼り付けることができる。また、本発明の低周波治療器台によれば、パッドの保管をより適切に行うことができる。
【発明を実施するための最良の形態】
【００２７】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２８】
（実施例１）
図１〜図１３を参照して、本発明の実施例１に係る低周波治療器について説明する。
【００２９】
＜低周波治療器の構成＞
図１〜図４を参照して、本発明の実施例１に係る低周波治療器の構成を説明する。図１は本発明の実施例１に係る低周波治療器の上方側から見た斜視図である。図２は本発明の実施例１に係る低周波治療器の下方側から見た斜視図である。図３は本発明の実施例１に
係る低周波治療器の平面図である。図４は本発明の実施例１に係る低周波治療器の模式的断面図である。なお、図４は図３のＡＡ断面図である。
【００３０】
本発明の実施例１に係る低周波治療器１０は、低周波治療器本体１００と、治療部位に貼り付けられる一対のパッド２００と、低周波治療器本体１００と各パッド２００とをそれぞれ電気的に接続する一対のコード３００とを備えている。
【００３１】
低周波治療器本体１００は、各種部品を収納すると共に外観を構成するフレーム１１０と、電源のオンオフや各種の設定の操作を行うために設けられた複数のボタンにより構成される操作部１２０と、設定内容や治療時間を表示するための表示部１３０と、コード３００を巻き取るための巻き取り機構を構成する一対のコードリール１４０と、フレーム１１０の内部に収められる電池（電源部１５０）と、複数の電子部品や基板等からなる電子部品群１６０とを備えている。
【００３２】
本実施例に係る低周波治療器１０においては、低周波治療器自体がパッド２００を治療部位に貼り付けるための補助具としても用いられることに特徴がある。従って、低周波治療器本体１００のフレーム１１０は、各図に示すように、細長く、かつ手で握り易い形状となっている。また、フレーム１１０の外観形状は、長手方向に対して対称的な形状となっており、長手方向の両端付近にそれぞれ開口部１１１が設けられている。これらの開口部１１１は、コード３００を低周波治療器本体１００の内部から外部に引き出すために設けられている。
【００３３】
また、開口部１１１における底面側の開口端縁には、切欠１１２が設けられている。この切欠１１２は、パッド２００とコード３００との接続部分が嵌合できるように構成されている。そして、これらの接続部分が切欠１１２に嵌合することによって、パッド２００の粘着面２０１の全面が露出した状態で、パッド２００は低周波治療器本体１００に保持される。このように、切欠１１２は、パッド２００を低周波治療器本体１００に保持するための保持部として機能する。
【００３４】
また、フレーム１１０の底面側であって、上記の開口部１１１よりも先端側の部分は、パッド２００が保持されている状態において、パッド２００の粘着面２０１とは反対側の面に近接した位置で対向するように構成されている。この部分によって、後に詳述するように、パッド２００の粘着面２０１とは反対側の面を押し付けることができる。以下、この部分を押し付け部１１３と称する。
【００３５】
そして、開口部１１１よりも少し内側に上述したコードリール１４０が設けられている。このコードリール１４０は、操作部分がフレーム１１０の外面に露出し、コード３００を巻き取る部分がフレーム１１０の内部に収められるように設けられている。また、このコードリール１４０におけるコード３００を巻き取る部分に、コード３００の一端が固定されている。そして、コードリール１４０における操作部分を手指で回転させると、コード３００が巻き取られる。また、パッド２００を引っ張ると、コードリール１４０は自動的に回転し、コード３００は引っ張り出される。
【００３６】
なお、電源部１５０である２つの電池は、低周波治療器本体１００の一方の端部付近に収納され、電子部品群１６０は、低周波治療器本体１００の中央付近に収納される。
【００３７】
＜低周波治療器の動作＞
特に、図５を参照して、本発明の実施例１に係る低周波治療器の動作について説明する。図５は本発明の実施例１に係る低周波治療器のブロック図である。なお、低周波治療器の動作自体に関しては、公知技術であるので、ここでは概要を簡単に説明する。
【００３８】
上述の電子部品群１６０には、各種電子部品の動作を制御するＣＰＵ１６１や低周波パルスを生成する生成部としての波形成形・出力部１６２が含まれている。ＣＰＵ１６１に対しては、電源部１５０から電気が供給されるように構成されている。そして、操作部１２０から送られる信号に基づいて、ＣＰＵ１５０は、表示部１３０に設定内容や治療時間などを表示させ、また、波形成形・出力部１６２により低周波パルスを生成させる。波形成形・出力部１６２から出力された低周波パルスは、パッド２００を介して人体５００の治療部位に付与される。なお、波形形成・出力１６２によって生成及び出力する低周波電流は、低周波パルスに限られるものではなく、パルス波形以外のもの（例えば、交流波形）であっても良い。
【００３９】
＜パッドの貼り付け＞
パッド２００の治療部位への貼り付け動作等に関して、特に、図６〜図９を参照して説明する。図６は本発明の実施例１に係る低周波治療器を用いてパッドを治療部位に貼り付けている様子を示す概略図である。図７は本発明の実施例１に係る低周波治療器におけるパッドを引き出した様子を示す上方側から見た斜視図である。図８は本発明の実施例１に係る低周波治療器におけるパッドを引き出した様子を示す下方側から見た斜視図である。図９は本発明の実施例１に係る低周波治療器におけるパッドを引き出した様子を示す模式的断面図である。
【００４０】
パッド２００を治療部位に貼り付ける場合には、上述した図１〜図４に示すように、パッド２００を低周波治療器本体１００に保持させた状態で、フレーム１１０の端部付近を手で握る。そして、図６に示すように、手で握った端部とは反対側の端部付近に保持されたパッド２００を所望の治療部位に押し付ける。すると、上述のように、低周波治療器本体１００のフレーム１１０に設けられた押し付け部１１３が、パッド２００の粘着面２０１とは反対側の面を押し付けることによって、パッド２００の粘着面２０１が所望の部位に密着する。
【００４１】
そして、低周波治療器本体１００を身体に沿うように移動させると、切欠１１２に嵌合されていた、パッド２００とコード３００との接続部分は、切欠１１２から外れる。そして、パッド２００は治療部位に貼り付けられたままで、コード３００が低周波治療器本体１００の外部に繰り出されていく。
【００４２】
以上のようにして、パッド２００を所望の治療部位に貼り付け、かつパッド２００を低周波治療器本体１００から外して、低周波治療器本体１００を手元に戻すことができる。次に、反対側の端部に保持されたパッド２００も、同様に所望の治療部位に貼り付けた後に、手元で低周波治療器本体１００に設けられた表示部１３０を見ながら操作部１２０を操作することによって、低周波治療を行うことができる。
【００４３】
低周波治療後は、パッド２００を治療部位から剥がす。このとき、手が届くのであれば、直接手指によってパッド２００を剥がすのが望ましいが、手が届かない場合には、コード３００を引っ張ることで、パッド２００を剥がすができる。そして、両方のパッド２００を剥がした後に、一対のコードリール１４０によって各パッド２００に接続されたコード３００をそれぞれ巻き取り、パッド２００とコード３００との接続部分を切欠１１２に嵌合させることによって、再び、一対のパッド２００を低周波治療器本体１００に保持させる。
【００４４】
＜低周波治療器台＞
本発明の実施例に係る低周波治療器台について、特に、図１０〜図１３を参照して説明する。図１０は本発明の実施例に係る低周波治療器台の上方側から見た斜視図である。図
１１は本発明の実施例に係る低周波治療器台に低周波治療器を載置させた様子を示す上方側から見た斜視図である。図１２は本発明の実施例に係る低周波治療器台に低周波治療器を載置させた様子を示す平面図である。図１３は本発明の実施例に係る低周波治療器台に低周波治療器を載置させた様子を示す模式的断面図である。なお、図１３は図１２のＡＡ断面図である。
【００４５】
低周波治療器台４００は、低周波治療器１０を保管する際に、低周波治療器１０を載置しておくための台である。この低周波治療器台４００には、その両端に平面状の保護部４０１が設けられている。一対のパッド２００を低周波治療器本体１００に保持させた状態で、低周波治療器本体１００を低周波治療器台４００に載置させると、各パッド２００の粘着面２０１は、それぞれ保護部４０１に貼り付く。これにより、粘着面２０１に埃などが付着したり、粘着面２０１が乾燥してしまったりすることが抑制され、粘着面２０１は保護される。
【００４６】
＜本実施例の優れた点＞
本実施例に係る低周波治療器１０によれば、低周波治療器本体１００のフレーム１１０に設けられた切欠１１２に、パッド２００とコード３００との接続部分を嵌合させた状態で、フレーム１１０に設けられた押し付け部１１３によってパッド２００の粘着面２０１とは反対側の面を押し付けることで、パッド２００の粘着面２０１を所望の治療部位に貼り付けることができる。
【００４７】
従って、手の届かない又は届きにくい位置であっても、低周波治療器本体１００の長さ分だけ離れた位置にパッド２００を貼り付けることができるため、手の届かない又は届きにくい位置にもパッド２００を適切に貼り付けることができる。また、パッド２００の柔軟性が高く、パッド２００の形状が不安定な場合であっても、本実施例に係る低周波治療器１０を用いれば、押し付け部１１３によりパッド２００を押え付けながら、パッド２００を治療部位に貼り付けることができるので、パッド２００を所望の位置により適切に貼り付けることができる。これに伴い、パッド２００の粘着面が服に貼り付いてしまったり、パッド２００が折れ曲がって粘着面同士が貼り付いてしまったりすることを抑制できる。なお、本実施例では、パッド２００の粘着面２０１の全面を露出させた状態で、パッド２００を低周波治療器本体１００に保持させる場合の構成を示した。しかしながら、パッド２００を治療部位に貼り付けられさえすれば、全面を露出させなくても、一部を露出させた状態でパッド２００を保持するように構成することもできる。
【００４８】
また、パッド２００を低周波治療器本体１００に保持させるための保持部を、パッド２００とコード３００との接続部分と嵌合する切欠１１２により構成したことで、簡易な構成でパッド２００を保持させることができる。また、パッド２００とコード３００との接続部分を切欠１１２に沿って移動させることで、パッド２００の保持を簡単に解除することができる。従って、パッド２００を治療部位に貼り付けた後に、低周波治療器本体１００を移動させることで、パッド２００を治療部位に貼り付けたまま、簡単に、低周波治療器本体１００をパッド２００から外すことができる。
【００４９】
また、本実施例においては、コードリール１４０によって、低周波治療器本体１００の外部からの操作によって、低周波治療器本体１００の内部にコード３００を巻き取ることができるように構成している。そのため、パッド２００を治療部位に貼り付ける場合においては、最初のうちは、コード３００は全て低周波治療器本体１００の内部に収められており、パッド２００を貼り付ける過程でコード３００は徐々に繰り出されていく。従って、パッド２００の貼り付け作業時に、コード３００が邪魔になってしまうことを抑制できる。また、低周波治療器１０を保管する際においては、コード３００は全て低周波治療器本体１００の内部に収められるので、コード３００が邪魔になることを確実に防止できる
。なお、本実施例においては、コードリール１４０を手指により回転させることでコード３００を巻き取る手動式の場合について説明した。しかしながら、例えば、コード３００を少し引っ張るとコードリール１４０が自動的にコード３００を巻き取るような自動式のものを適用することもできる。また、電動でコードリール１４０がコード３００を巻き取る方式のものを適用しても良い。
【００５０】
また、本実施例によれば、パッド２００を低周波治療器本体１００に保持させた状態で、低周波治療器台４００に低周波治療器本体１００を載置させるたけで、低周波治療器台４００の保護部４０１にパッド２００の粘着面２０１が貼り付けられる。このように、簡単な作業で、粘着面２０１を保護することができる。
【００５１】
そして、低周波治療器台４００に低周波治療器１０を載置すればパッド２００の粘着面２０１が保護されるので、専用のパッドホルダーにパッドを貼り付けて保管する場合に比べて、治療後におけるパッドの貼り忘れを抑制することもできる。
【００５２】
（実施例２）
図１４には、本発明の実施例２が示されている。上記実施例１では、コード３００が巻き付けられる巻き付け部を、低周波治療器本体１００の外部からの操作によって、低周波治療器本体１００の内部にコード３００を巻き取ることを可能とする巻き取り機構（コードリール１４０）により構成する場合について示した。本実施例では、コード３００が巻き付けられる巻き付け部を、低周波治療器本体１００の外壁面に設けられた突起部としてのフックにより構成する場合について示す。
【００５３】
巻き付け部に関する構成以外の構成および作用については実施例１と同一なので、同一の構成部分については同一の符号を付して、その説明は省略する。図１４は本発明の実施例２に係る低周波治療器の側面図である。
【００５４】
本実施例においては、上記実施例１におけるコードリール１４０が設けられていない代わりに、低周波治療器本体１００の底面側に、Ｌ字状のフック１４１が、両端にそれぞれ一対ずつ設けられている。本実施例では、これらのフック１４１に、コード３００を掛け回すことによって、コード３００を巻き付けることができる。なお、図１４において、左側の一対のフック１４１にはコード３００が巻き付けられていない状態を示し、右側の一対のフック１４１にはコード３００が巻き付けられている状態を示している。
【００５５】
以上のように、本実施例においては、実施例１に比べると、パッド２００の貼り付け作業時やパッド２００の保管時に、コード３００が邪魔になってしまうおそれがあるものの、コード３００を巻き付けるための巻き付け部の構成を実施例１の場合に比べて簡易にすることができるという利点がある。
【００５６】
なお、その他の機能や効果に関しては、実施例１の場合と同様であることは言うまでもない。
【図面の簡単な説明】
【００５７】
【図１】図１は本発明の実施例１に係る低周波治療器の上方側から見た斜視図である。
【図２】図２は本発明の実施例１に係る低周波治療器の下方側から見た斜視図である。
【図３】図３は本発明の実施例１に係る低周波治療器の平面図である。
【図４】図４は本発明の実施例１に係る低周波治療器の模式的断面図である。
【図５】図５は本発明の実施例１に係る低周波治療器のブロック図である。
【図６】図６は本発明の実施例１に係る低周波治療器を用いてパッドを治療部位に貼り付けている様子を示す概略図である。
【図７】図７は本発明の実施例１に係る低周波治療器におけるパッドを引き出した様子を示す上方側から見た斜視図である。
【図８】図８は本発明の実施例１に係る低周波治療器におけるパッドを引き出した様子を示す下方側から見た斜視図である。
【図９】図９は本発明の実施例１に係る低周波治療器におけるパッドを引き出した様子を示す模式的断面図である。
【図１０】図１０は本発明の実施例に係る低周波治療器台の上方側から見た斜視図である。
【図１１】図１１は本発明の実施例に係る低周波治療器台に低周波治療器を載置させた様子を示す上方側から見た斜視図である。
【図１２】図１２は本発明の実施例に係る低周波治療器台に低周波治療器を載置させた様子を示す平面図である。
【図１３】図１３は本発明の実施例に係る低周波治療器台に低周波治療器を載置させた様子を示す模式的断面図である。
【図１４】図１４は本発明の実施例２に係る低周波治療器の側面図である。
【符号の説明】
【００５８】
１０  低周波治療器
１００  低周波治療器本体
１１０  フレーム
１１１  開口部
１１２  切欠
１１３  押し付け部
１２０  操作部
１３０  表示部
１４０  コードリール
１４１  フック
１５０  電源部
１６０  電子部品群
１６１  ＣＰＵ
１６２  波形成形・出力部
２００  パッド
２０１  粘着面
３００  コード
４００  低周波治療器台
４０１  保護部
５００  人体
【図１】
2008029570.tif 000003
【図２】
2008029570.tif 000004
【図３】
2008029570.tif 000005
【図４】
2008029570.tif 000006
【図５】
2008029570.tif 000007
【図６】
2008029570.tif 000008
【図７】
2008029570.tif 000009
【図８】
2008029570.tif 000010
【図９】
2008029570.tif 000011
【図１０】
2008029570.tif 000012
【図１１】
2008029570.tif 000013
【図１２】
2008029570.tif 000014
【図１３】
2008029570.tif 000015
【図１４】
2008029570.tif 000016